(57)【要約】【課題】無線モジュールのアンテナ特性の検査精度を向上できるモジュールソケットを提供する。【解決手段】モジュールソケットは、アンテナを備える無線モジュールにおけるアンテナが実装された実装面と当接する第１の部材と、第１の部材と対向して配置され、無線モジュールが設置される設置面を有し、アンテナから実装面と略平行に放射された電波を反射する電波反射部を含む第２の部材と、を備える。【選択図】図１
2015094741.tif 000002
【特許請求の範囲】
【請求項１】
アンテナを備える無線モジュールにおける前記アンテナが実装された実装面と当接する第１の部材と、
前記第１の部材と対向して配置され、前記無線モジュールが設置される設置面を有し、前記アンテナから前記実装面と略平行に放射された電波を反射する電波反射部を含む第２の部材と、
を備えるモジュールソケット。
【請求項２】
前記電波反射部は、前記設置面と連なり、前記設置面に対して傾斜して形成された傾斜面を含む、請求項１に記載のモジュールソケット。
【請求項３】
前記電波反射部は、前記電波を反射する反射板を含む、請求項１または２に記載のモジュールソケット。
【請求項４】
前記第１の部材は、前記実装面と当接する第１の凸部を含む、請求項１ないし３のいずれか１項に記載のモジュールソケット。
【請求項５】
前記第１の凸部は、前記設置面に前記無線モジュールが設置された状態において、前記アンテナと対向する位置に、前記第１の部材を貫通する第１の開口部を含む、請求項４に記載のモジュールソケット。
【請求項６】
前記第１の凸部は、前記設置面に前記無線モジュールが設置された状態において、前記アンテナと対向する位置に、窪み部を含む、請求項４または５に記載のモジュールソケット。
【請求項７】
前記アンテナは、前記実装面と略平行な方向に電波を放射する第１のアンテナ部及び第２のアンテナ部を有し、
前記窪み部は、前記設置面に前記無線モジュールが設置された状態において、前記アンテナによる電波の放射方向の端部に、前記第１のアンテナ部と前記第２のアンテナ部との間と対向する位置に、第２の凸部を含む、請求項６に記載のモジュールソケット。
【請求項８】
前記第１の部材は、前記電波反射部により反射された電波が通過する位置に、前記第１の部材を貫通する第２の開口部を含む、請求項１ないし７のいずれか１項に記載のモジュールソケット。
【請求項９】
前記第２の開口部は、前記電波反射部側の開口面積が小さく、前記電波反射部と反対側の開口面積が大きく、テーパ状に形成された壁面を有する、請求項８に記載のモジュールソケット。
【請求項１０】
前記第１の部材は、前記電波反射部により反射された電波が通過する位置に、前記第１の部材を貫通する第２の開口部を含み、
前記窪み部は、前記設置面に前記無線モジュールが設置された状態において、前記アンテナによる電波の放射方向に応じた位置において、前記第２の開口部まで延設された、請求項６または７に記載のモジュールソケット。
【請求項１１】
前記アンテナは、前記実装面と略平行な方向に電波を放射する第１のアンテナ部及び第２のアンテナ部を有し、
前記無線モジュールは、前記第１のアンテナ部と前記第２のアンテナ部との間に切欠き部を含み、
前記第１の部材は、前記設置面に前記無線モジュールが設置された状態において、前記傾斜面に、前記切欠き部に係合する第３の凸部を含む、請求項２ないし１０のいずれか１項に記載のモジュールソケット。
【請求項１２】
前記第１の部材及び前記第２の部材と係合し、前記第１の部材と前記第２の部材とにより前記無線モジュールを挟み込んで固定するフック部を備える、請求項１ないし１１のいずれか１項に記載のモジュールソケット。
【請求項１３】
前記第２の部材は、前記無線モジュールを収容し、前記設置面を底面とする凹部を含む、請求項１ないし１２のいずれか１項に記載のモジュールソケット。
【請求項１４】
前記第２の部材は、前記設置面に前記無線モジュールが設置された状態において、前記無線モジュールの第１電極と接触し、前記無線モジュールに電力を供給する第２電極を有する、請求項１ないし１３のいずれか１項に記載のモジュールソケット。
【発明の詳細な説明】
【技術分野】
【０００１】
本開示は、モジュールソケットに関する。例えば、アンテナを備える無線モジュールが設置されるモジュールソケットに関する。
【背景技術】
【０００２】
従来、例えば製品出荷前に行われるモジュール性能の検査では、検査対象のモジュールがモジュールソケットに設置され、各種の特性（例えば、送信電力やスプリアス電力）が検査される。
【０００３】
この種の先行技術として、パッケージの主面に外部接続用の端子を複数配置したＩＣ（Ｉｎｔｅｇｒａｔｅｄ  Ｃｕｉｃｕｉｔ）を収容し、端子と外部の検査用基板とを電気接続するＩＣソケットが知られている（特許文献１参照）。このＩＣソケットは、ソケットハウジングと、ソケット蓋と、を有する。ソケットハウジングは、検査用基板に配され、検査対象となるＩＣが上面に設置される。ソケット蓋は、ＩＣをソケットハウジングと共に挟み、ソケットハウジングに固定される。
【先行技術文献】
【特許文献】
【０００４】
【特許文献１】特許第５０６７２４４号公報
【発明の概要】
【発明が解決しようとする課題】
【０００５】
従来のＩＣソケットでは、アンテナを備える無線モジュールのモジュール特性を測定する場合、アンテナからの電波の放射方向におけるソケットの形状によって、モジュール特性の測定精度が劣化することがあった。
【０００６】
本開示は、上記事情に鑑みてなされたものであり、無線モジュールのモジュール特性の測定精度を向上できるモジュールソケットを提供する。
【課題を解決するための手段】
【０００７】
本開示のモジュールソケットは、アンテナを備える無線モジュールにおける前記アンテナが実装された実装面と当接する第１の部材と、前記第１の部材と対向して配置され、前記無線モジュールが設置される設置面を有し、前記アンテナから前記実装面と略平行に放射された電波を反射する電波反射部を含む第２の部材と、を備える。
【発明の効果】
【０００８】
本開示によれば、無線モジュールのモジュール特性の測定精度を向上できる。
【図面の簡単な説明】
【０００９】
【図１】（Ａ）は第１の実施形態におけるモジュールソケット近傍の構造例を示す平面図、（Ｂ）は図１（Ａ）に示したモジュールソケット近傍の構成例を示すＡ−Ａ’断面図
【図２】（Ａ）は第２の実施形態におけるモジュールソケット近傍の構造例を示す平面図、（Ｂ）は図２（Ａ）に示したモジュールソケット近傍の構成例を示すＢ−Ｂ’断面図
【図３】（Ａ）は第３の実施形態におけるモジュールソケット近傍の構造例を示す平面図、（Ｂ）は図３（Ａ）に示したモジュールソケット近傍の構成例を示すＣ−Ｃ’断面図
【図４】（Ａ）は第４の実施形態におけるモジュールソケット近傍の構造例を示す平面図、（Ｂ）は図４（Ａ）に示したモジュールソケット近傍の構成例を示すＤ−Ｄ’断面図
【図５】（Ａ）は第５の実施形態におけるモジュールソケット近傍の構造例を示す平面図、（Ｂ）は図５（Ａ）に示したモジュールソケット近傍の構成例を示すＥ−Ｅ’断面図、（Ｃ）は図５（Ａ）に示したモジュールソケット近傍の構成例を示すＦ−Ｆ’断面図
【図６】（Ａ）は第６の実施形態におけるモジュールソケット近傍の構造例を示す平面図、（Ｂ）は図６（Ａ）に示したモジュールソケット近傍の構成例を示すＧ−Ｇ’断面図、（Ｃ）は図６（Ａ）に示したモジュールソケット近傍の構成例を示すＨ−Ｈ’断面図
【図７】（Ａ）は第７の実施形態におけるモジュールソケット近傍の構造例を示す平面図、（Ｂ）は図７（Ａ）に示したモジュールソケット近傍の構成例を示すＩ−Ｉ’断面図、（Ｃ）は図７（Ａ）に示したモジュールソケット近傍の構成例を示すＪ−Ｊ’断面図
【図８】（Ａ）は第８の実施形態におけるモジュールソケット近傍の構造例を示す平面図、（Ｂ）は図８（Ａ）に示したモジュールソケット近傍の構成例を示すＫ−Ｋ’断面図
【発明を実施するための形態】
【００１０】
以下、本開示の実施の形態におけるモジュールソケットについて図面を用いて説明する。
【００１１】
（本開示の一形態を得るに至った経緯）
従来のＩＣソケットは、ＩＣの端子から出力される信号を用いてモジュール特性を測定するために用いられるＩＣソケットであり、アンテナが実装されたＩＣのモジュール特性を測定するものではなかった。
【００１２】
仮に、特許文献１に記載されたＩＣソケットを用いて無線モジュールを検査する場合、アンテナからの電波の放射方向に、例えば樹脂製のＩＣソケットの一部が存在する。このため、ＩＣソケットを挟んで検査装置がアンテナからの放射電波を測定する場合、ＩＣソケットによって放射特性が変化し、安定したモジュール特性の測定が困難である。例えば、アンテナの実装面と略平行な方向に電波が放射される場合、例えば樹脂製のＩＣソケットの一部が影響してアンテナの放射特性が変化し、モジュール特性の測定精度が低下する。
【００１３】
以下の実施形態では、無線モジュールのモジュール特性の測定精度を向上できるモジュールソケットについて説明する。
【００１４】
以下の実施形態のモジュールソケットは、例えば、無線モジュールのモジュール特性の測定時、検査時に用いられる。モジュールソケットに配された無線モジュールは、モジュール特性を測定する測定器により、モジュール特性が測定される。モジュールソケットには、例えば、ミリ波帯域を含む高周波帯域又はマイクロ波帯域の電波を送信又は受信する無線モジュール、が設置される。
【００１５】
（第１の実施形態）
【００１６】
図１（Ａ），（Ｂ）は、モジュールソケット２０近傍の構造例を示す模式図である。図１（Ａ）は、モジュールソケット２０近傍を上方（Ｚ軸負側）から視た場合の構造例を示す平面図である。図１（Ｂ）は、モジュールソケット２０近傍を正面（Ｙ軸正側）から視た場合の構造例を示し、図１（Ａ）に示したモジュールソケット２０のＡ−Ａ’断面図である。
【００１７】
図１（Ｂ）では、モジュールソケット近傍の構造例とともに、無線モジュール５のモジュール特性を測定する測定器４８を簡略化して示す。
【００１８】
無線モジュール５の上面（Ｚ軸負側のＸ−Ｙ面に沿う面）には、横方向（Ｘ軸方向）、つまり実装面５ｂと略平行な方向に電波を放射するアンテナ８が実装される。図１（Ａ），（Ｂ）では、横方向に電波を放射するアンテナ８として、３つのアンテナ素子を含む八木・宇田アンテナが２組設けられる。２組のアンテナ８を区別する場合、それぞれアンテナ８ａ（第１のアンテナ部の一例）、アンテナ８ｂ（第２のアンテナ部の一例）と称する。アンテナ８におけるアンテナの素子数及び組数は一例であり、任意の数でよい。
【００１９】
モジュールソケット２０は、ベース部２１（第２の部材の一例）、ソケット蓋２３（第１の部材の一例）、及びフック２５（フック部の一例）を含んで構成される。ベース部２１は、無線モジュール５に対し、電源を供給し、信号の入出力を行う検査基板３３に搭載される。検査基板３３には、例えば、測定器４８又は電源（図示せず）と接続されるコネクタ、無線モジュール５の外部部品としての電子部品（例えば、コンデンサ、電源用ＩＣ）が実装される。
【００２０】
ベース部２１には、無線モジュール５が収容される凹部２１ａに形成される。凹部２１ａの底面である設置面２１ｅに、無線モジュール５が設置される。ベース部２１の設置面２１ｅには、複数の導電性ピン２２が配置される。複数の導電性ピン２２は、凹部２１ａに収容された無線モジュール５の電極端子である複数のボール５ａの各々と接触し、設置面２１ｅから突出する。複数の導電性ピン２２は、検査基板３３における例えば信号線又は電源線と接続される。
【００２１】
無線モジュール５の一面に配置されたボール５ａには、検査基板３３から、例えば検査用の所定信号又は電力が供給される。無線モジュール５の他面に配置されたアンテナ８は、所定信号又は電力が供給されると、実装面５ｂと平行な方向（Ｘ軸方向、図１（Ｂ）における横方向）に電波（例えばミリ波帯域の電波）を放射する。アンテナ８は、電波を送信し、又は、測定器４８から放射された電波を受信する。
【００２２】
凹部２１ａの設置面２１ｅと連なる側面（壁面）には、斜め部２１ｂ（無線反射部の一例）が形成される。斜め部２１ｂは、Ｚ軸に沿う方向に対して例えば４５度傾斜した斜面を含む。図１（Ｂ）では、アンテナ８から放射される電波を反射するため、凹部２１ａの１箇所の壁面が斜面に形成されることを例示するが、電波の放射方向に応じて複数箇所の壁面が斜面に形成されてもよい。
【００２３】
ソケット蓋２３は、ベース部２１に設置された無線モジュール５を押圧するように、無線モジュール５の実装面５ｂに当接される。ソケット蓋２３の略中央部には、突部（凸部）２３ｅ（第１の凸部の一例）が形成され、凸部２３ｅをＺ軸に沿う方向に貫通するように、開口部２３ａ（第一の開口部の一例）が形成される。開口部２３ａのＸ−Ｙ面に沿う断面の形状は、矩形状、円形状でもよく、その他の形状でもよい。凸部２３ｅにより無線モジュール５を押さえ付けることで、無線モジュール５を固定できる。
【００２４】
開口部２３ａでは、下側（Ｚ軸正側）において開口面積が小さく、上側（Ｚ軸正側）で開口面積が大きい。開口部２３ａの内壁面の角度は、Ｚ軸方向に対して、例えば４５度傾斜したテーパ状の斜面に形成される。開口面積が最も小さい下側の開口端部２３ｄとアンテナ８の素子との距離ｄ１は、例えばλ／２以上である。λは無線モジュール５から放射される電波の波長である。
【００２５】
開口部２３ａの角度においては、例えばアンテナ８による電波の放射パターンに応じて、最小角度が異なる。開口部２３ａの角度は、開口部２３ａの内壁面（テーパ面）とＺ軸に沿う方向とにより形成される角度θ１である。開口部２３ａの角度は、例えば、アンテナ指向性の半値角が±３０度の場合、半値角に±１５度を追加して±４５度以上とする。これにより、モジュールソケット２０の加工の容易性とモジュールソケット２０の強度とを両立できる。
【００２６】
ソケット蓋２３は、無線モジュール５の上面（Ｚ軸負側の面）において端辺である４辺付近に均等に力が加わるように、凸部２３ｅによって無線モジュール５を下方向（Ｚ軸正方向）に押さえ付ける。例えば、無線モジュール５の略中央部にアンテナ８が配置される場合、無線モジュール５の周縁部が押さえ付けられる。例えば、無線モジュール５の片側に偏ってアンテナ８が配置される場合、ソケット蓋２３の凸部２３ｅの下面（Ｚ軸正側の面）では、Ｘ軸方向の一端側とＸ軸方向の他端側とにおいて無線モジュール５との接触面積が異なる。この場合でも、無線モジュール５における広さの異なる面により、無線モジュール５を均等に押さえ付けられる。
【００２７】
フック２５は、ベース部２１に段部として形成された引っ掛かり部２１ｃと、ソケット蓋２３に段部として形成された引っ掛かり部２３ｂと、にそれぞれ係合する一対の係止片２５ａ、２５ｂを有する。フック２５は、ベース部２１及びソケット蓋２３を挟み込んで固定する。これにより、無線モジュール５がベース部２６及びソケット蓋２３により挟持される。図１（Ｂ）では、フック２５が２個使用されることを例示したが、３個以上使用されてもよい。
【００２８】
モジュール特性の検査開始前、無線モジュール５は、ベース部２１の凹部２１ａに収容され、複数のボール５ａの各々が複数の導電性ピン２２と接触する。無線モジュール５は、ソケット蓋２３の凸部２３ｅにより押圧され、フック２５は、ソケット蓋２３とベース部２１とを挟み込む。これにより、モジュールソケット２０において無線モジュール５が固定される。
【００２９】
モジュール特性の検査では、無線モジュール５に実装されたアンテナ８から矢印ａ方向（図１（Ｂ）参照）に電波が放射され、ベース部２１の斜め部２１ｂにおいて電波が反射される。反射された電波の少なくとも一部は、ソケット蓋２３の開口部２３ａを経由して、測定器４８が存在する矢印ｂ方向（図１（Ｂ）参照）に向かう。
【００３０】
次に、測定器４８の一例について説明する。
【００３１】
測定器４８は、例えば、検査対象（ＤＵＴ：Ｄｅｖｉｃｅ  Ｕｎｄｅｒ  Ｔｅｓｔ）である無線モジュール５から放射され、斜め部２１ｂにより反射された電波の放射パターンを測定することで、無線モジュール５のモジュール特性を測定する。測定器４８は、例えば、測定用アンテナとモジュール特性測定部とを含んで構成される。測定用アンテナは、無線モジュール５から放射された電波を受信し、又は無線モジュール５へ電波を放射する。モジュール特性測定部は、測定用アンテナにより受信又は送信した電波の強度を測定する。測定器４８は、例えば、図１（Ｂ）における矢印ｂの上方（Ｚ軸負方向）に配置される。
【００３２】
測定器４８は、例えば、暗箱（不図示）内に収容されてもよい。暗箱が設置される場合、例えば、モジュールソケット２０の開口部２３ａに対向して暗箱が開口部を有し、測定器４８の周囲は第１の電波吸収体（不図示）により包囲される。
【００３３】
測定器４８は、例えば、暗箱内に収容されず、別体の第２の電波吸収体（不図示）を用いて、無線モジュール５のモジュール特性を測定してもよい。第２の電波吸収体は、所定の位置に配置され、測定器４８により反射された電波を吸収し、測定器４８から無線モジュール５へ向かう電波を減少させる。
【００３４】
測定器４８とともに、暗箱、第１の電波吸収体、又は第２の電波吸収体を用いて無線モジュール５のモジュール特性を測定することで、不要な電波を抑制し、測定精度、検査精度を向上できる。
【００３５】
モジュールソケット２０によれば、アンテナ８から横方向（例えばＸ軸に沿う方向）に放射された電波が、斜め部２１ｂにより反射され、Ｚ軸に沿う方向に向かうので、モジュールソケット２０の部材の影響を抑制できる。これにより、アンテナ８を備えた無線モジュール５のアンテナ特性の変化を抑えることで、モジュール特性の劣化を抑制してモジュール特性を測定できる。従って、無線モジュール５のモジュール特性の測定精度、検査精度を向上できる。
【００３６】
また、ソケット蓋２３の凸部２３ｅによって無線モジュール５が均等に押圧されるので、ボール５ａと導電性ピン２２とを良好に接触できる。そのため、例えば、無線モジュール５への電源の供給又は信号の入出力を安定的に実行できる。
【００３７】
また、アンテナ８の実装面５ｂに略平行な方向に向かう電波を、斜め部２１ｂにおいてアンテナ８の実装面５ｂに垂直な方向に反射させるので、上記垂直な方向に放射される電波を、測定器４８を用いて測定し、無線モジュール５のモジュール特性を検査できる。従って、モジュールソケット２０を用いることで、アンテナ８の指向性方向がアンテナ８の実装面５ｂに略平行な方向（例えばＸ軸に沿う方向）及び垂直な方向（例えばＺ軸に沿う方向）のいずれの場合でも、モジュール特性の測定精度の劣化を抑制できる。
【００３８】
本実施形態では、斜め部２１ｂが４５度に設定されることを例示したが、その他の角度（例えば３０度、６０度）でもよい。この場合、反射により電波が進行する方向に、測定器４８が設置されればよい。
【００３９】
また、ボール５ａと導電性ピン２２との接触によって無線モジュール５とベース部２１との電気的接続が確保されるので、検査対象である無線モジュール５の交換が容易である。
【００４０】
また、フック２５が、ベース部２１とソケット蓋２３とにより無線モジュール５を挟み込むように固定するので、無線モジュール５の位置ずれを抑制できる。
【００４１】
また、無線モジュール５がベース部２１に形成された凹部２１ａに収容されるので、モジュールソケット２０の厚さを薄くできる。
【００４２】
また、ベース部２１の導電性ピン２２は、例えば検査基板３３上の信号線又は電源線と接続されるので、無線モジュール５の検査に必要な信号を入出力できる。
【００４３】
また、ソケット蓋２３の凸部２３ｅ付近に開口部２３ａが形成されるので、無線モジュール５に実装されたアンテナ８から誘電体（例えば樹脂）により形成された部材を離間でき、アンテナ８のアンテナ特性に与える影響を抑制できる。例えば、電極端子としてのボール５ａのインピーダンスが変化し、アンテナ特性が変化することを抑制できる。従って、無線モジュール５のモジュール特性の測定精度、検査精度を向上できる。
【００４４】
（第２の実施形態）
図２（Ａ），（Ｂ）は、モジュールソケット２０Ａ近傍の構造例を示す模式図である。図２（Ａ）は、モジュールソケット２０Ａ近傍を上方（Ｚ軸負側）から視た場合の構造例を示す平面図である。図２（Ｂ）は、モジュールソケット２０Ａ近傍を正面（Ｙ軸正側）から視た場合の構造例を示し、図２（Ａ）に示したモジュールソケット２０ＡのＢ−Ｂ’断面図である。
【００４５】
第２の実施形態のモジュールソケット２０Ａは、第１の実施形態のモジュールソケット２０と同様の構成を有する。モジュールソケット２０Ａにおいて、モジュールソケット２０と同様の構成については、同一の符号を示し、説明を省略又は簡略化する。
【００４６】
第２の実施形態では、第１の実施形態と比べ、ソケット蓋に開口部が形成されていない。即ち、ソケット蓋２３Ａでは、無線モジュール５を押圧する凸部２３ｅに開口部が形成されていない。ソケット蓋２３Ａをベース部２１に重ね、フック２５によりソケット蓋２３Ａ及びベース部２１を係合させると、凸部２３ｅの下面（Ｚ軸正側の面）が無線モジュール５を押圧する。
【００４７】
横方向（Ｘ軸に沿う方向）に指向性を持つアンテナ８の場合、縦方向（Ｚ軸に沿う方向）に指向性を持つアンテナ８と比べ、ソケット蓋２３Ａに開口部を形成しなくても、ソケット蓋２３Ａによる反射電波への影響が小さい。ソケット蓋２３Ａに開口部が形成されない場合、ソケット蓋２３Ａの誘電体（例えば樹脂）が存在する部分と誘電体が存在しない部分（例えば開口部）とにおいて誘電率に差が生じ、斜め部２１ｂにより反射された電波の放射パターンが乱れることを抑制できる。従って、モジュール特性の測定精度の劣化を抑制できる。
【００４８】
第２の実施形態では、ベース部２１の斜め部２１ｂには、金属板からなる反射板２７が設けられてもよい。反射板２７を設けることで、アンテナ８から横方向に放射された電波を効率良く縦方向に反射できる。第１の実施形態では、無線モジュール５及びベース部２１間に存在する空気と樹脂製のベース部２１である誘電体との誘電率の差から、斜め部２１ｂにより電波を反射させることを例示した。第２の実施形態では、反射板２７である金属が取り付けられた斜め部２１ｂで電波を反射させるので、電波を効率良く反射できる。
【００４９】
（第３の実施形態）
図３（Ａ），（Ｂ）は、モジュールソケット２０Ｂ近傍の構造例を示す模式図である。図３（Ａ）は、モジュールソケット２０Ｂ近傍を上方（Ｚ軸負側）から視た場合の構造例を示す平面図である。図３（Ｂ）は、モジュールソケット２０Ｂ近傍を正面（Ｙ軸正側）から視た場合の構造例を示し、図３（Ａ）に示したモジュールソケット２０ＢのＣ−Ｃ’断面図である。
【００５０】
第３の実施形態のモジュールソケット２０Ｂは、第２の実施形態のモジュールソケット２０Ａと同様の構成を有する。モジュールソケット２０Ｂにおいて、モジュールソケット２０Ａと同様の構成については、同一の符号を示し、説明を省略又は簡略化する。
【００５１】
第３の実施形態では、ソケット蓋２３Ｂの、斜め部２１ｂに設けられた反射板２７と対向する部位には、ソケット蓋２３Ｂを貫通するように、開口部２３ｆが形成される。開口部２３ｆは、例えば、略四角柱状、円柱状に形成される。反射板２７により反射されたアンテナ８からの電波は、ソケット蓋２３Ｂに形成された開口部２３ｆを通過し、縦方向（Ｚ軸負方向）に放射される。反射板２７は、省略されてもよく、以降の実施形態でも同様である。
【００５２】
このように、反射板２７又は斜め部２１ｂにより反射された電波の多くは、開口部２３ｆの内部を通過する。これにより、ソケット蓋２３Ｂが無線モジュール５のモジュール特性に与える影響をより少なくでき、モジュール特性の測定精度の劣化を抑制できる。
【００５３】
（第４の実施形態）
図４（Ａ），（Ｂ）は、モジュールソケット２０Ｃ近傍の構造例を示す模式図である。図４（Ａ）は、モジュールソケット２０Ｃ近傍を上方（Ｚ軸負側）から視た場合の構造例を示す平面図である。図４（Ｂ）は、モジュールソケット２０Ｃ近傍を正面（Ｙ軸正側）から視た場合の構造例を示し、図４（Ａ）に示したモジュールソケット２０ＣのＤ−Ｄ’断面図である。
【００５４】
第４の実施形態のモジュールソケット２０Ｃは、第３の実施形態のモジュールソケット２０Ｂと同様の構成を有する。モジュールソケット２０Ｃにおいて、モジュールソケット２０Ｂと同様の構成については、同一の符号を示し、説明を省略又は簡略化する。
【００５５】
第４の実施形態のソケット蓋２３Ｃでは、開口部２３ｆ（第２の開口部の一例）が形成され、凸部２３ｅの下面（Ｚ軸正側の面）に窪み部２３ｇが形成される。窪み部２３ｇは、例えば、略四角柱状の凹部として形成される。窪み部２３ｇの深さ（Ｚ軸方向長さ）は、λ／１０〜λ／２の範囲に設定される。
【００５６】
反射板２７又は斜め部２１ｂにより反射されたアンテナ８からの電波は、ソケット蓋２３Ｃに形成された開口部２３ｆを通過し、縦方向（Ｚ軸正方向）に放射される。
【００５７】
ソケット蓋２３Ｃで無線モジュール５を強く押下しなくてもよい場合、又は、ソケット蓋２３Ｃの強度が十分である場合、凸部２３ｅの下面に窪み部２３ｇを形成できる。アンテナ８から、誘電体（例えば樹脂）を含むソケット蓋２３Ｃを離すことで、ソケット蓋２３Ｃがモジュール特性に与える影響を少なくできる。従って、アンテナ特性の測定精度の劣化を抑制できる。
【００５８】
（第５の実施形態）
図５（Ａ）〜（Ｃ）は、モジュールソケット２０Ｄ近傍の構造例を示す模式図である。図５（Ａ）は、モジュールソケット２０Ｄ近傍を上方（Ｚ軸負側）から視た場合の構造例を示す平面図である。図５（Ｂ）は、モジュールソケット２０Ｄ近傍を正面（Ｙ軸正側）から視た場合の構造例を示し、図５（Ａ）に示したモジュールソケット２０ＤのＥ−Ｅ’断面図である。図５（Ｃ）は、モジュールソケット２０Ｄ近傍を正面（Ｙ軸正側）から視た場合の構造例を示し、図５（Ａ）に示したモジュールソケット２０ＤのＦ−Ｆ’断面図である。
【００５９】
第５の実施形態のモジュールソケット２０Ｄは、第４の実施形態のモジュールソケット２０Ｃと同様の構成を有する。モジュールソケット２０Ｄにおいて、モジュールソケット２０Ｃと同様の構成については、同一の符号を示し、説明を省略又は簡略化する。
【００６０】
第５の実施形態のソケット蓋２３Ｄでは、窪み部２３ｇにおける開口部２３ｆ側の壁面に、且つ２組のアンテナ８ａ，８ｂの間に位置するように（例えば図５（Ａ）参照）、突起２３ｉが形成される。突起２３ｉの高さ（Ｚ軸方向長さ）は、例えば、凸部２３ｅの高さ（Ｚ軸方向長さ）と同一である。図５（Ａ）では、窪み部２３ｇの右端部（Ｘ軸正方向の端部）であり、Ｙ軸に沿う方向におけるアンテナ８ａ，８ｂの間の位置に、突起２３ｉが設けられる。
【００６１】
ソケット蓋２３Ｄをベース部２１に重ね、フック２５によりソケット蓋２３Ｄ及びベース部２１を係合させると、凸部２３ｅの周縁部とともに、突起２３ｉ（第２の凸部の一例）が無線モジュール５を押し付ける。これにより、窪み部２３ｇが形成されても、無線モジュール５をベース部２１に確実に固定できる。また、例えば、無線モジュール５を交換しても、ベース部２１に対するアンテナ８ａ，８ｂの位置を同様に揃えることができ、位置合わせの精度を向上できる。
【００６２】
（第６の実施形態）
図６（Ａ）〜（Ｃ）は、モジュールソケット２０Ｅ近傍の構造例を示す模式図である。図６（Ａ）は、モジュールソケット２０Ｅ近傍を上方（Ｚ軸負側）から視た場合の構造例を示す平面図である。図６（Ｂ）は、モジュールソケット２０Ｅ近傍を正面（Ｙ軸正側）から視た場合の構造例を示し、図６（Ａ）に示したモジュールソケット２０ＥのＧ−Ｇ’断面図である。図６（Ｃ）は、モジュールソケット２０Ｅ近傍を正面（Ｙ軸正側）から視た場合の構造例を示し、図６（Ａ）に示したモジュールソケット２０ＥのＨ−Ｈ’断面図である。
【００６３】
第６の実施形態のモジュールソケット２０Ｅは、第５の実施形態のモジュールソケット２０Ｄと同様の構成を有する。モジュールソケット２０Ｅにおいて、モジュールソケット２０Ｄと同様の構成については、同一の符号を示し、説明を省略又は簡略化する。
【００６４】
第６の実施形態のソケット蓋２３Ｅでは、窪み部２３ｇ１が、窪み部２３ｇ１における上下方向（Ｙ軸方向）の中央部を除き、開口部２３ｆに至るまで延設される。突起２３ｉ１は、窪み部２３ｇ１におけるＹ軸方向の中央部において、窪み部２３ｇ１の開口部２３ｆ側（Ｘ軸正側）の端部に形成される。開口部２３ｆに至るまで延設される位置は、例えば、アンテナ８ａ，８ｂのＹ軸方向における位置が同じ位置であり、アンテナ８ａ，８ｂにより放射された電波の多くが通過する位置である。
【００６５】
アンテナ８は、開口部２３ｆの方向（Ｘ軸正方向）に指向性を有するので、アンテナ８よりもＸ軸正方向に誘電体（例えば樹脂）が存在しないことで（図６（Ａ）参照）、アンテナ８によるアンテナ特性への影響をより少なくできる。従って、無線モジュール５のモジュール特性の測定精度の劣化を抑制できる。
【００６６】
また、突起２３ｉ１を用いて無線モジュール５をソケット蓋２３Ｅに対して位置合わせでき、ソケット蓋２３Ｅの凸部２３ｅにより無線モジュール５を押下する力の低下を抑制できる。
【００６７】
（第７の実施形態）
図７（Ａ）〜（Ｃ）は、モジュールソケット２０Ｆ近傍の構造例を示す模式図である。図７（Ａ）は、モジュールソケット２０Ｆ近傍を上方（Ｚ軸負側）から視た場合の構造例を示す平面図である。図７（Ｂ）は、モジュールソケット２０Ｆ近傍を正面（Ｙ軸正側）から視た場合の構造例を示し、図７（Ａ）に示したモジュールソケット２０ＦのＩ−Ｉ’断面図である。図７（Ｃ）は、モジュールソケット２０Ｆ近傍を正面（Ｙ軸正側）から視た場合の構造例を示し、図７（Ａ）に示したモジュールソケット２０ＦのＪ−Ｊ’断面図である。
【００６８】
第７の実施形態のモジュールソケット２０Ｆは、第５の実施形態のモジュールソケット２０Ｄと同様の構成を有する。モジュールソケット２０Ｆにおいて、モジュールソケット２０Ｄと同様の構成については、同一の符号を示し、説明を省略又は簡略化する。
【００６９】
第７の実施形態では、無線モジュール５Ａには、アンテナ１８としての２組のアンテナ１８ａとアンテナ１８ｂとの間に位置して、切欠き５ｃが形成される。アンテナ１８ａ，１８ｂは、例えば、５つのアンテナ素子を含む八木・宇田アンテナを含んで構成される。
【００７０】
ベース部２１Ａの斜め部２１ｂには、無線モジュール５Ａがベース部２１Ａに設置された場合に切欠き５ｃと係合する突起２１ｋ（第３の凸部の一例）が形成される。反射板２７は、突起２１ｋを挟んで２枚の反射板２７ａ，２７ｂに分離されてもよい。
【００７１】
ソケット蓋２３Ｆは、前述のソケット蓋２３，２３Ａ〜２３Ｅのいずれの構成でもよい。
【００７２】
切欠き５ｃにより、無線モジュール５Ａにおいて、アンテナ１８ａが配置された側（Ｙ軸負側）とアンテナ１８ｂが配置された側（Ｙ軸正側）とを分離する。これにより、アンテナ１８ａが配置された上端側とアンテナ１８ｂが配置された下端側とでアイソレーションを確保でき、無線モジュール５Ａが搭載される基板の対称性を維持できる。また、ベース部２１に形成された突起２１ｋが無線モジュール５Ａに形成された切欠き５ｃに嵌ることで、無線モジュール５Ａのベース部２１に対する無線モジュール５Ａの位置を同様に揃えることができる。
【００７３】
（第８の実施形態）
図８（Ａ）〜（Ｃ）は、モジュールソケット２０Ｇ近傍の構造例を示す模式図である。図８（Ａ）は、モジュールソケット２０Ｇ近傍を上方（Ｚ軸負側）から視た場合の構造例を示す平面図である。図８（Ｂ）は、モジュールソケット２０Ｇ近傍を正面（Ｙ軸正側）から視た場合の構造例を示し、図８（Ａ）に示したモジュールソケット２０ＧのＫ−Ｋ’断面図である。
【００７４】
第８の実施形態のモジュールソケット２０Ｇは、第４の実施形態のモジュールソケット２０Ｃと同様の構成を有する。モジュールソケット２０Ｇにおいて、モジュールソケット２０Ｃと同様の構成については、同一の符号を示し、説明を省略又は簡略化する。
【００７５】
第８の実施形態では、ソケット蓋２３Ｇに形成された開口部２３ｍは、斜め部２１ｂ側（Ｚ軸正側）において開口端面２３ｍ１の面積が小さく、斜め部２１ｂと反対側（Ｚ軸負側）において開口端面２３ｍ２の面積が大きくなるテーパ状に形成される。
【００７６】
開口部２３ｍの角度においては、例えば、アンテナ８により放射され、斜め部２１ｂ又は反射板２７により反射された電波の放射パターンに応じて、最小角度が異なる。開口部２３ａの角度は、開口部２３ｍの内壁面（テーパ面）とＺ軸に沿う方向とにより形成される角度θ２である。開口部２３ｍの角度は、例えば、アンテナ指向性の半値角が±３０度の場合、半値角に±１５度を追加して±４５度以上とする。これにより、モジュールソケット２０の加工の容易性とモジュールソケット２０の強度とを両立できる。
【００７７】
開口部２３ｍをテーパ状に形成することで、斜め部２１ｂにより反射された電波は徐々に拡がりながら放射されるので、電波の経路に誘電体部材（例えば樹脂）が介在せず、アンテナ特性の変化を抑えられる。従って、モジュール特性の測定精度、検査精度を向上できる。
【００７８】
なお、本開示は、上記実施形態の構成に限られるものではなく、特許請求の範囲で示した機能、または本実施形態の構成が持つ機能が達成できる構成であればどのようなものであっても適用可能である。
【００７９】
例えば、上記実施形態では、ベース部２１には、無線モジュール５，５Ａを収容する凹部２１ａが形成されることを例示したが、無線モジュール５，５Ａが設置されるベース部２１の面は平坦な面でもよい。この場合、モジュールソケット２０，２０Ａ〜２０Ｇの形状を簡単化でき、斜め部２１ｂは、この平坦な面から突出するように形成される。
【００８０】
上記実施形態では、指向性を有するアンテナ８，１８として、八木・宇田アンテナを例示したが、他のアンテナ（例えば、ダイポールアンテナやスロットアレーアンテナ）でもよい。
【００８１】
上記実施形態では、ソケット蓋２３，２３Ａ〜２３Ｇは、フック２５で固定されることで、無線モジュール５，５Ａをベース部２１に押さえ付け、凸部２３ｅが無線モジュール５，５Ａを押圧することを例示したが、フック２５を用いなくてもよい。例えば、プッシャによりソケット蓋２３，２３Ａ〜２３Ｇを押下してもよい。これにより、フック２５により固定する作業を省略できる。
【００８２】
（本開示の一態様の概要）
本開示の第１のモジュールソケットは、
アンテナを備える無線モジュールにおける前記アンテナが実装された実装面と当接する第１の部材と、
前記第１の部材と対向して配置され、前記無線モジュールが設置される設置面を有し、前記アンテナから前記実装面と略平行に放射された電波を反射する電波反射部を含む第２の部材と、
を備える。
【００８３】
本開示の第２のモジュールソケットは、第１のモジュールソケットであって、
前記電波反射部は、前記設置面と連なり、前記設置面に対して傾斜して形成された傾斜面を含む。
【００８４】
本開示の第３のモジュールソケットは、第１または第２のモジュールソケットであって、
前記電波反射部には、前記電波を反射する反射板を含む。
【００８５】
本開示の第４のモジュールソケットは、第１ないし第３のいずれか１つのモジュールソケットであって、
前記第１の部材は、前記実装面と当接する第１の凸部を含む。
【００８６】
本開示の第５のモジュールソケットは、第４のモジュールソケットであって、
前記第１の凸部は、前記設置面に前記無線モジュールが設置された状態において、前記アンテナと対向する位置に、前記第１の部材を貫通する第１の開口部を含む。
【００８７】
本開示の第６のモジュールソケットは、第４または第５のモジュールソケットであって、
前記第１の凸部は、前記設置面に前記無線モジュールが設置された状態において、前記アンテナと対向する位置に、窪み部を含む。
【００８８】
本開示の第７のモジュールソケットは、第６のモジュールソケットであって、
前記アンテナは、前記実装面と略平行な方向に電波を放射する第１のアンテナ部及び第２のアンテナ部を有し、
前記窪み部は、前記設置面に前記無線モジュールが設置された状態において、前記アンテナによる電波の放射方向の端部に、前記第１のアンテナ部と前記第２のアンテナ部との間と対向する位置に、第２の凸部を含む。
【００８９】
本開示の第８のモジュールソケットは、第１ないし第７のいずれか１つのモジュールソケットであって、
前記第１の部材は、前記電波反射部により反射された電波が通過する位置に、前記第１の部材を貫通する第２の開口部を含む。
【００９０】
本開示の第９のモジュールソケットは、第８のモジュールソケットであって、
前記第２の開口部は、前記電波反射部側の開口面積が小さく、前記電波反射部と反対側の開口面積が大きく、テーパ状に形成された壁面を有する。
【００９１】
本開示の第１０のモジュールソケットは、第６または第７のモジュールソケットであって、
前記第１の部材は、前記電波反射部により反射された電波が通過する位置に、前記第１の部材を貫通する第２の開口部を含み、
前記窪み部は、前記設置面に前記無線モジュールが設置された状態において、前記アンテナによる電波の放射方向に応じた位置において、前記第２の開口部まで延設される。
【００９２】
本開示の第１１のモジュールソケットは、第２ないし第１０のいずれか１つのモジュールソケットであって、
前記アンテナは、前記実装面と略平行な方向に電波を放射する第１のアンテナ部及び第２のアンテナ部を有し、
前記無線モジュールは、前記第１のアンテナ部と前記第２のアンテナ部との間に切欠き部を含み、
前記第１の部材は、前記設置面に前記無線モジュールが設置された状態において、前記傾斜面に、前記切欠き部に係合する第３の凸部を含む。
【００９３】
本開示の第１２のモジュールソケットは、第１ないし第１１のいずれか１つのモジュールソケットであって、
前記第１の部材及び前記第２の部材と係合し、前記第１の部材と前記第２の部材とにより前記無線モジュールを挟み込んで固定するフック部を備える。
【００９４】
本開示の第１３のモジュールソケットは、第１ないし第１２のいずれか１つのモジュールソケットであって、
前記第２の部材は、前記無線モジュールを収容し、前記設置面を底面とする凹部を含む。
【００９５】
本開示の第１４のモジュールソケットは、第１ないし第１３のいずれか１つのモジュールソケットであって、
前記第２の部材は、前記設置面に前記無線モジュールが設置された状態において、前記無線モジュールの第１電極と接触し、前記無線モジュールに電力を供給する第２電極を有する。
【産業上の利用可能性】
【００９６】
本開示は、無線モジュールのアンテナ特性の検査精度を向上できるモジュールソケット等に有用である。
【符号の説明】
【００９７】
５，５Ａ  無線モジュール
５ａ  ボール
５ｂ  実装面
５ｃ  切欠き
８，８ａ，８ｂ，１８，１８ａ，１８ｂ  アンテナ
２０，２０Ａ，２０Ｃ，２０Ｄ，２０Ｅ，２０Ｆ，２０Ｇ  モジュールソケット
２１，２１Ａ  ベース部
２１ａ  凹部
２１ｂ  斜め部
２１ｃ，２３ｂ  引っ掛かり部
２１ｅ  設置面
２１ｋ  突起
２２  導電性ピン
２３，２３Ａ，２３Ｂ，２３Ｃ，２３Ｄ，２３Ｅ，２３Ｆ，２３Ｇ  ソケット蓋
２３ａ，２３ｄ，２３ｆ，２３ｍ  開口部
２３ｅ  突部（凸部）
２３ｇ，２３ｇ１  窪み部
２３ｉ，２３ｉ１  突起
２３ｍ１，２３ｍ２  開口端面
２５  フック
２５ａ，２５ｂ  係止片
２７，２７ａ，２７ｂ  反射板
３３  検査基板
【図１】
2015094741.tif 000003
【図２】
2015094741.tif 000004
【図３】
2015094741.tif 000005
【図４】
2015094741.tif 000006
【図５】
2015094741.tif 000007
【図６】
2015094741.tif 000008
【図７】
2015094741.tif 000009
【図８】
2015094741.tif 000010